(57)【要約】【課題】境界線の変更を反映する前にどのように変更されるか把握することができる映像表示装置１０を実現する。【解決手段】複数の映像を１つの画面内に表示するために表示領域の合成を行う合成部５８と、前記表示領域の数、形状、大小関係、位置関係、前記映像の種類のうち、少なくとも１つの項目の変更を選択するための選択項目を複数並べて表示し、ユーザに選択させることで対応する画面構成に変更するためのメニューを表示するメニュー表示部２８と、前記表示領域の境界線を図示するアイコンを前記選択項目に対応づけて表示するアイコン表示部２６と、前記境界線の位置の変更を前記表示領域に反映させる境界線変更部３８とを備え、アイコン表示部２６は、境界線変更部３８が境界線の位置の変更を反映する前に変更結果を図示する前記アイコンを表示する。【選択図】  図１
2008028936.tif 000002
【特許請求の範囲】
【請求項１】
複数の映像を１つの画面内に表示するために表示領域の合成を行う合成手段と、
前記表示領域の数、形状、大小関係、位置関係、前記映像の種類のうち、少なくとも１つの項目の変更を選択するための選択項目を複数並べて表示し、ユーザに選択させることで対応する画面構成に変更するためのメニューを表示するメニュー表示手段と、
前記表示領域の境界線を図示するアイコンを前記選択項目に対応づけて表示するレイアウト表示手段と、
前記境界線の位置の変更を前記表示領域に反映させる境界線変更手段とを備え、
前記レイアウト表示手段は、前記境界線変更手段が境界線の位置の変更を反映する前に変更結果を図示する前記アイコンを表示することを特徴とする映像表示装置。
【請求項２】
前記選択項目を選択する操作を取得する第１変更入力手段と、
前記境界線の位置を変更する操作を取得する第２変更入力手段とをさらに備えることを特徴とする請求項１に記載の映像表示装置。
【請求項３】
前記メニュー表示手段は、前記選択項目を縦方向に複数並べて表示し、
前記境界線変更手段は、前記境界線の位置を横方向に変更し前記表示領域に反映させ、
前記第１変更入力手段は、上下方向を入力する上下方向入力手段と対応づけられ、
前記第２変更入力手段は、左右方向を入力する左右方向入力手段と対応付けられていることを特徴とする請求項２に記載の映像表示装置。
【請求項４】
前記画面の変更結果を記憶する変更情報記憶手段をさらに備え、
前記メニュー表示手段は、前記変更情報記憶手段を参照し、前回の変更結果を反映したメニューを表示することを特徴とする請求項１に記載の映像表示装置。
【請求項５】
前記画面に表示されている映像のうち、少なくとも１つに関する関連情報を取得する関連情報取得手段をさらに備え、
前記メニュー表示手段は、前記関連情報に基づいて前記メニューを表示することを特徴とする請求項１に記載の映像表示装置。
【請求項６】
複数の映像を１つの画面内に表示するために合成を行うステップと、
前記映像の数、種類、形状、大小関係、前記画面内の位置関係のうち、少なくとも１つの項目の変更を選択するための選択項目を複数並べて表示し、ユーザに選択させることで対応する画面構成に変更するためのメニューを表示するステップと、
前記画面内に表示される複数の映像の境界線を示すアイコンを前記メニュー上に表示し、前記境界線の位置の変更を反映する前に変更結果を図示する前記アイコンを前記レイアウト表示領域に表示するステップと、
前記境界線の位置の変更を前記画面に反映させるステップとを備えることを特徴とする映像表示方法。
【請求項７】
請求項１から５に記載の表示切換装置を動作させるための映像表示プログラムであって、コンピュータを前記の各手段として機能させるための映像表示プログラム。
【請求項８】
請求項７に記載の映像表示プログラムが記録されたコンピュータ読み取り可能な記録媒体。
【発明の詳細な説明】
【技術分野】
【０００１】
本発明は、複数の映像を１つの画面に表示させる映像表示装置、映像表示方法、映像表示プログラム、および記録媒体に関するものである。特に、複数の映像を１つの画面内に表示する画面構成を変更するメニューを表示する映像表示装置、映像表示方法、映像表示プログラム、および記録媒体に関するものである。
【背景技術】
【０００２】
近時、テレビに代表される映像表示装置において、チューナや光ディスク再生装置などの複数の映像ソースを備え、表示画面を複数に分割することで、複数の映像を同時に表示する映像表示装置が用いられている。かかる映像表示装置において、ユーザは、リモコンの画面切換ボタンなどを押下することによって、１画面、２画面といった複数の画面表示を切換することができる。
【０００３】
しかしながら、１画面および２画面の表示を切換する場合には、「２画面」ボタンなどを押下することで、１画面表示および２画面表示を切換することができるが、１画面、２画面、４画面などの２つよりも多い表示モードを備えている場合には、１つのボタンで順次切換操作を行うことが煩雑になるという問題が生じる。
【０００４】
上記の問題を解決するために、特許文献１では、「べんり」ボタンを押下することで複数のモードを列挙するメニューを表示し、メニューから所望のモードを選択するテレビジョン受像機が開示されている。
【特許文献１】特開２００１−６９８３６９号公報（２００１年３月１６日公開）
【発明の開示】
【発明が解決しようとする課題】
【０００５】
しかしながら、上記の方法では、各機能の現在の設定が分からず、設定の変更方法が複雑であるという問題を生じる。
【０００６】
具体的には、特許文献１に記載の技術では、並べて表示する画面の数を示すだけで、実際にどのようなレイアウトになるのかは不明である。これは、大きな画面と小さな画面が並ぶようなレイアウトや、ウェブブラウザのように表示領域の縦横比に縛りがないものを表示させる場合には不親切である。
【０００７】
さらに、並べて表示する画面の数を切換する際に、それぞれの画面のサイズも変更する場合、画面の数を選択した後に、画面のサイズを選択するメニューを表示し、選択する必要がある。これは、画面の切換動作に対して複数の操作が必要になり、操作入力が複雑になるという問題が生じる。
【０００８】
本発明は、上記の問題点を解決するためになされたもので、その目的は、表示画面の切換、および、表示画面のサイズ等の変更が容易な映像表示装置、映像表示方法、映像表示プログラム、および記憶媒体を提供することにある。
【課題を解決するための手段】
【０００９】
本発明の映像表示装置は、上記の問題を解決するために、複数の映像を１つの画面内に表示するために表示領域の合成を行う合成手段と、前記表示領域の数、形状、大小関係、位置関係、前記映像の種類のうち、少なくとも１つの項目の変更を選択するための選択項目を複数並べて表示し、ユーザに選択させることで対応する画面構成に変更するためのメニューを表示するメニュー表示手段と、前記表示領域の境界線を図示するアイコンを前記選択項目に対応づけて表示するレイアウト表示手段と、前記境界線の位置の変更を前記表示領域に反映させる境界線変更手段とを備え、前記レイアウト表示手段は、前記境界線変更手段が前記境界線の位置の変更を反映する前に変更結果を図示する前記アイコンを表示することを特徴としている。
【００１０】
上記の構成によれば、複数の映像を１つの画面内に表示する画面構成を変更するためにユーザに選択させるメニューを表示し、上記メニュー上に上記複数の映像の境界線の位置を図示するアイコンを表示し、境界線の位置の変更を画面に反映させる前に、変更後の境界線の位置を示すアイコンを表示することで、境界線の変更を決定する前にどのように表示されるか把握することができる。
【００１１】
また、上記の映像表示装置では、前記選択項目を選択する操作を取得する第１変更入力手段と、前記境界線の位置を変更する操作を取得する第２変更入力手段とをさらに備えることを特徴としている。
【００１２】
上記の構成によれば、画面構成の変更と、境界線の位置の変更とを、別の入力手段に割り当てられるので、ユーザによる操作入力が簡易になる操作を割り当てることができる。
【００１３】
また、上記の映像表示装置では、前記メニュー表示手段は、前記選択項目を縦方向に複数並べて表示し、前記境界線変更手段は、前記境界線の位置を横方向に変更し前記表示領域に反映させ、前記第１変更入力手段は、上下方向を入力する上下方向入力手段と対応づけられ、前記第２変更入力手段は、左右方向を入力する左右方向入力手段と対応付けられていることを特徴としている。
【００１４】
上記の構成によれば、上下キーで分割表示を切換し、左右キーで表示画面を変更するので、メニューを切換せずに画面分割の切換、表示画面の変更を容易な操作で入力することができる。
【００１５】
また、上記の映像表示装置では、前記画面の変更結果を記憶する変更情報記憶手段をさらに備え、前記メニュー表示手段は、前記変更情報記憶手段を参照し、前回の変更結果を反映したメニューを表示することを特徴としている。
【００１６】
上記の構成によれば、変更情報記憶手段が表示画面の変更情報を記憶し、メニュー表示手段が記憶されている画面構成や、境界線の位置情報を参照してメニューの表示に反映することができる。
【００１７】
また、上記の映像表示装置では、前記画面に表示されている映像のうち、少なくとも１つに関する関連情報を取得する関連情報取得手段をさらに備え、前記メニュー表示手段は、前記関連情報に基づいて前記メニューを表示することを特徴としている。
【００１８】
上記の構成によれば、関連情報取得手段によって取得した関連情報に基づいて、適切なレイアウトを決定し、画面の表示に反映することできる。
【００１９】
さらに、分割情報記憶手段を参照してメニューを表示できるので、分割情報を変更するだけで表示する映像の内容に応じた適切なレイアウトを選択することができる。また、ユーザが独自に設定したレイアウトを分割テンプレート記憶手段に記憶しておくことで、いつでもテンプレートとして独自の設定を呼び出すことや、元のレイアウトを呼び出して戻すことができる。
【００２０】
本発明の映像表示方法は、上記の課題を解決するために、複数の映像を１つの画面内に表示するために合成を行うステップと、前記映像の数、種類、形状、大小関係、前記画面内の位置関係のうち、少なくとも１つの項目の変更を選択するための選択項目を複数並べて表示し、ユーザに選択させることで対応する画面構成に変更するためのメニューを表示するステップと、前記画面内に表示される複数の映像の境界線を示すアイコンを前記メニュー上に表示し、前記境界線の位置の変更を反映する前に変更結果を図示する前記アイコンを前記レイアウト表示領域に表示するステップと、前記境界線の位置の変更を前記画面に反映させるステップとを備えることを特徴としている。
【００２１】
上記の構成によれば、複数の映像を１つの画面内に表示する画面構成を変更するためにユーザに選択させるメニューを表示し、上記メニュー上に上記複数の映像の境界線の位置を図示するアイコンを表示し、境界線の位置の変更を画面に反映させる前に、変更後の境界線の位置を示すアイコンを表示することで、境界線の変更を決定する前にどのように表示されるか把握することができる。
【００２２】
なお、上記映像表示方法を、コンピュータの制御によりコンピュータ上で実行させることができる。さらに、上記映像表示プログラムをコンピュータ読み取り可能な記録媒体に記憶させることにより、任意のコンピュータ上で実行させることができる。
【発明の効果】
【００２３】
以上のように、本発明の映像表示装置および映像表示方法は、複数の映像を１つの画面内に表示する画面構成を変更するためにユーザに選択させるメニューを表示し、上記メニュー上に上記複数の映像の境界線の位置を図示するアイコンを表示し、境界線の位置の変更を画面に反映させる前に、変更後の境界線の位置を示すアイコンを表示するので、境界線の変更を決定する前にどのように表示されるか把握することができるという効果を奏する。
【発明を実施するための最良の形態】
【００２４】
〔実施形態１〕
本発明の一実施の形態について図１〜図１２に基づいて説明すれば、以下のとおりである。なお、本実施形態では映像表示装置として、処理部としての制御部、出力部としての表示画面、入力部としてのリモートコントローラなどを備えたデジタルテレビを例に説明するが、これに限るものではない。従来使用されている外部のチューナや、各種メディアに映像を記録するレコーダなどの電子機器に、以下で説明する各部の機能を備えた処理装置を内蔵することで映像表示装置として機能させてもよい。
【００２５】
また、以下では、表示画面としてディスプレイを内蔵する映像表示装置を用いて本発明について説明するが、本発明はそれに留まるものではなく、タッチパネルを出力部および入力部として用いてもよいし、映像表示装置本体の操作キーを入力装置として用いてもよい。
【００２６】
また、映像表示装置で表示させる映像とは、放送波を受信したり、外部入力機器から入力されたりする映像信号のほかに、静止画像データ、テキストデータ、および前記データをレイアウトするＨＴＭＬなどのＸＭＬデータやその他任意の形式のバイナリデータであってもよい。
【００２７】
図１は、本実施形態における映像表示装置（映像表示装置）１０における各部の機能の概略を示したブロック図である。映像表示装置１０は、表示管理部２２、受信部３０、制御部３２、記憶部（変更情報記憶手段）３４、メニュー変更部（メニュー変更手段）３６、および境界線変更部（境界線変更手段）３８、通信部（関連情報取得手段）５２、ブラウザ部５４、チューナ部（関連情報取得手段）５６、合成部５８、出力部５９、および入力部６０を備えている。
【００２８】
表示管理部２２は、さらに、ラベル表示部２４、アイコン表示部（レイアウト表示手段）２６、およびメニュー表示部（メニュー表示手段）２８を備えている。表示管理部２２は、ユーザに対して様々な情報を表示し、画面の切換入力を促すための表示を行う。
【００２９】
ラベル表示部２４は、メニュー上のラベル表示領域に切換入力を識別するためのラベルの表示を行う。ラベル表示領域には、文字で各切換画面を識別するための情報が表示される。具体例をあげれば、ラベル表示領域には、「テレビ」「テレビ２画面」「テレビ＋インターネット」「２画面＋インターネット」「インターネット」などのように、表示されている各画面の内容の解説が表示される。
【００３０】
アイコン表示部２６は、メニュー上のレイアウト表示領域内に、アイコンの形式で図示された画面のレイアウト情報の表示を行う。具体例をあげれば、例えば、上記のラベル表示領域と対応して、「テレビ」「インターネット」などの各画面のサイズや配置を示すアイコンをレイアウトし、視覚的に直感的に画面の配置や境界線の位置を捉えることができるように示す。
【００３１】
メニュー表示部２８は、ラベル表示領域およびレイアウト表示領域を対応付けて、画面切換の選択肢としてユーザに提示し、画面切換を選択させるためのメニューとして表示する。具体的には、例えば、メニューには、１画面を示すアイコンおよび「テレビ」の文字が対応づけられて横に並べて１つの選択項目として表示され、複数の選択項目を縦に並べて表示することで、上下のキー入力に基づいていずれかの選択項目を選択可能に表示する。ラベル領域およびレイアウト領域を含むメニューについて、詳細は後述する。
【００３２】
受信部３０は、入力部６０からの操作入力を取得し、制御部３２に入力する。受信部３０には、入力部６０内の送信部の構成に併せて、赤外線受信装置、無線受信装置、光通信受信装置、信号入力受信装置など、各種の受信装置を含んでいてもよい。
【００３３】
制御部３２は、受信部３０を介して入力された操作信号に基づいて、表示管理部２２に画面表示を指示し、記憶部３４から必要な情報を参照し、メニュー変更部３６にユーザの画面切換を入力する。記憶部３４は、表示管理部２２が表示するために必要なラベル情報、アイコン情報、レイアウト情報、メニュー情報などのテンプレート情報を記憶するための記憶装置である。なお、制御部３２は、必要に応じて入力されたデータを記憶部３４に記憶保存してもよい。
【００３４】
メニュー変更部３６は、制御部３２から入力された操作入力に基づいてメニュー表示部２８に指示し、ユーザが選択し入力した結果を画面表示に反映させる。また、メニュー変更部３６は、ユーザが選択した結果を境界線変更部３８に入力して、画面切換を実行させる。境界線変更部３８は、メニュー変更部３６からの指示に基づいて合成部５８に制御信号を送信し、画面切換を実行させる。
【００３５】
通信部５２は、インターネットなどを介して外部のネットワークと接続し、各種データの受信を行う。具体的には、通信部５２は、ウェブデータ、メールデータなどの受信を行う。ブラウザ部５４は、通信部５２によって受信した各種データの再生表示を行う。具体的には、ブラウザ部５４は、ブラウザ、メールクライアントなどを実行して、通信部５２が受信したデータの再生出力を行う。チューナ部５６は、放送電波や、電子番組表データを受信し、受信した画像信号や電子番組表データをデコードして出力する。具体的には、地上波アナログ放送や、地上波デジタル放送や、ＢＳ／ＣＳデジタル放送などといった放送信号を選択して受信する。ここではデジタル放送受信用チューナを例に説明を行うが、これに限るものではない。
【００３６】
合成部（合成手段）５８は、境界線変更部３８からの制御信号に基づいて映像を合成し、通信部５２が受信したデータ画像や、チューナ部５６が受信した放送映像などを、それぞれ画面内に表示されるように合成する処理を行う。なお、ここでは、通信部５２およびチューナ部５６からの出力映像を合成して画面に表示する例を示したが、光ディスク読み取り装置などのその他の映像入力ソースから映像を受信し、分割画面内に映像出力を行ってもよい。
【００３７】
出力部５９は、表示管理部２２の各部からの表示信号と、合成部５８によって合成された映像を出力するための出力デバイスである。具体例をあげれば、例えば、液晶や有機ＥＬ（Electro Luminescence）などで構成された画像表示用の素子やＣＲＴ（Cathode Ray Tube）などの表示用デバイスで構成される。表示用デバイスの種類は特に限定されない。ここでは出力部５９としてディスプレイ装置を備えた映像表示装置１０を例に実施形態を説明したが、これに限るものではない。外部のディスプレイ装置に対して、複数の映像および操作メニューを表示出力するものであってもよい。
【００３８】
次に、図２を参照して、本実施形態の映像表示装置１０における表示映像の流れについて説明を行う。図２は、映像表示装置１０において映像が分割された画面に合成されて表示されるまでの流れを示す概略図である。
【００３９】
入力部６０は、ここではリモートコントローラを指し、ユーザ操作を入力するための入力デバイスである。受信部３０は、ここでは、赤外線受信部であり、リモートコントローラとの間で赤外線通信を行うための通信インタフェースである。
【００４０】
制御部３２は、各部から操作信号やデータを受け取り、適切な制御・操作・記録などの動作を指示するコントロールユニットである。ここでは、受信部３２を介して取得した操作情報に基づいて、各処理を各部に実行させる。
【００４１】
おもな処理として、チューナを介して放送局より受信する映像を取得させる処理、取得した映像を合成部５８に分割画面として合成させて表示部５９に表示させる処理、通信部５２を介してサーバよりデータを取得させる処理、取得したデータおよび記憶部に記憶されているデータから各種表示画面を表示管理部２２に生成させ、出力部５９に表示させる処理、ユーザによる番組視聴操作や、ブラウザ閲覧操作や、設定変更操作などの結果など情報を記憶部３４に記憶させる処理などが挙げられる。
【００４２】
通信部５２は、制御部３２の指示を受け、ＨＴＴＰなどのインターネットプロトコルを利用してサーバにアクセスし、データを取得する。チューナ部５６は、放送波を受信して合成部５８に入力する。通信部５２は、制御部の指示を受け、ＨＴＴＰなどのインターネットプロトコルを利用してサーバにアクセスしてデータを取得する。
【００４３】
次に、図３を参照して、制御部３２におけるイベント処理の流れについて説明を行う。図３は、映像表示装置１０において映像が分割された画面に合成されて表示されるまでに行われるイベント処理の流れを示す概略図である。
【００４４】
判別部７０は、受信部３０を介してユーザによる操作が発生したことを検知すると、その操作の内容を示す操作情報通知イベントを制御部３２に出力する。具体的には、どのキーが押下されたのかを判別して制御部３２に入力する。判別部７０は、例えば、一定時間ボタンを押し続ける、ボタンを押し続けた後にボタンを離す、連続して複数回ボタンを押す、複数のボタンを同時に押すなどといったボタン操作から特定のコマンド入力を判別し、制御部７２に出力してもよい。
【００４５】
制御部３２は、判別部７０から通知されるキーイベント、ブラウザなどのアプリケーションから通知されるアプリケーションイベント、タイマー（図示せず）から通知されるタイマーイベントなどを受けて、各種処理の実行を後述の各部へ指示する。制御部３２では、状態遷移表を管理し、現在の状態と受信したイベントとの対応から処理内容を決定し、各部に実行させる。
【００４６】
ブラウザ部５４は、いわゆるＷＷＷブラウザを実行する処理部であり、受信部３０、判別部７０、制御部３２を介して受信するイベントに応じて、（１）通信部を介してＨＴＭＬ文書や画像データなどを取得する処理、（２）取得したＨＴＭＬ文書を解析する処理、（３）解析したＨＴＭＬ文書および画像データを合成部に表示させる処理、（４）キャッシュデータを記憶部に書込させる処理、（５）ブックマークやプロキシなどの情報を記憶部より読込させる処理などを行う。
【００４７】
テレビ表示部５５は、チューナ部５６より受信した放送波をデコードし、合成部５８を介して出力部５９に表示させる。なお、デコードは通常ハードウェア処理で行うため、テレビアプリから出力部５９へ直接映像データを流してデコード、表示させる構成としてもよい。また、テレビ表示部５５は、ユーザの指示を受けて音量の調節や、選局も行う。
【００４８】
番組表管理部５７は、本明細書では特に言及しないが、チューナ部５６を介し、定期的に番組表情報を取得する。また、ユーザの指示に応じて番組表情報の表示を指示する。
【００４９】
メニュー変更部３６は、（１）現在どの画面分割モード、どの画面分割位置であるかを把握し、（２）受信部３０、判別部７０、制御部３２を介して受信するキーイベントに応じて、画面分割メニュー９２を表示させる処理や、フォーカス変更表示、分割位置変更表示などの表示指示を、表示管理部２２に対して行う。
【００５０】
表示管理部２２は、出力部５９の各プレーンに描画指示を行う。また、オフスクリーン、オンスクリーンのバッファ管理を行う。
【００５１】
なお、図示はしないが、機能設定管理部をさらに備え、色や明るさなどの映像設定をはじめとする各種メニューを扱い、現在の状態を管理するとともにユーザからの変更指示があった場合には反映して記憶部に設定を保存、また、ユーザ操作を受けて表示管理部へ表示指示を行ってもよい。
【００５２】
次に、図４〜図７を参照して、画面分割メニューを用いて分割表示の切換操作および分割画面の境界線変更操作を実行手順について説明する。図４は、表示画面９０および表示画面９０上に重畳して表示される画面分割メニュー９２を示す図である。図５（ａ）（ｂ）、図６（ａ）（ｂ）（ｃ）、および図７（ａ）（ｂ）（ｃ）は、画面分割メニュー９２の動作の詳細を示す図である。
【００５３】
図４（ａ）は、映像表示装置１０における通常の表示画面９０を示す図である。表示画面９０には、３人の人物が表示されている。ここで、入力部６０の画面分割キー６１が押下されると、図４（ｂ）のように、表示画面９０の右上領域に画面分割メニュー９２が表示される。画面分割メニュー９２には、最上段の領域に「画面分割メニュー」のタイトルが表示され、以下、左側にレイアウト表示領域９４が、右側にラベル表示領域９６が並べて表示される。
【００５４】
レイアウト表示領域９４には、画面のレイアウトを模したアイコンが、画面分割の形式に対応する形で表示されている。ラベル表示領域９６には、画面レイアウトを示すアイコンに対応する説明が文字で示されている。ここでは、上から順に、「テレビ」「テレビ２画面」「テレビ＋インターネット」「２画面＋インターネット」「インターネット」の文字がラベルとして、アイコンと対応づけられて表示されている。
【００５５】
図５〜図７は、画面分割メニュー９２の拡大図である。以下、画面分割メニュー９２におけるユーザの選択操作および画面分割の表示形式の決定について、順に説明を行う。
【００５６】
図５（ａ）は、画面分割メニュー９２の初期状態を示す図である。画面分割メニュー９２上では、選択枠９８ａによって、「テレビ」の選択項目が選択状態になっている。画面分割メニュー９２では、選択されている画面構成は、図５に示すように反転表示されているが、これに限るものではない。当該項目が選択状態であることを識別できれば、どのような表示形式であってもよい。
【００５７】
選択枠９８ａが「テレビ」の選択項目上に置かれた状態で決定キー６６が押下された場合、処理部２０の境界線変更部３８は、表示画面９０ａのようにテレビの受信映像を１画面で表示するように合成部５８に制御信号を送信する。
【００５８】
図５（ａ）の状態で、上下キー６４のうち、「↓」キーを押下された場合、画面分割メニュー９２は、図５（ｂ）の状態へ変更される。
【００５９】
図５（ｂ）は、選択枠９８ｂによって、「テレビ２画面」の選択項目が選択状態になっていることを示す図である。選択枠９８ｂが「テレビ２画面」の選択項目上に置かれた状態で決定キー６６が押下された場合、処理部２０の境界線変更部３８は、表示画面９０ｂのように人物が表示されているテレビ画面の一方を左側に、山の風景が表示されているもう一方のテレビ画面を右側に表示するように出力部５０の合成部５８に制御信号を送信する。
【００６０】
表示画面９０ｂの状態で画面分割キーが押下された場合には、画面分割メニュー９２を図５（ｂ）の状態で表示することにしてもよいし、図５（ａ）の状態で表示してもよい。
【００６１】
図５（ｂ）の状態で、上下キー６４のうち、「↓」キーを押下された場合には、画面分割メニュー９２は図６（ａ）の状態に変更され、「↑」キーを押下された場合には、画面分割メニュー９２は図５（ａ）の状態に変更される。
【００６２】
図６（ａ）は、選択枠９８ｃによって、「テレビ＋インターネット」の選択項目が選択状態になっていることを示す図である。選択枠９８ｃが「テレビ＋インターネット」の選択項目上に置かれた状態で決定キー６６が押下された場合、処理部２０の境界線変更部３８は、表示画面９０ｃのように人物が表示されているテレビ画面を左側に、ブラウザによって表示されたウェブ画面を右側に表示するように出力部５０の合成部５８に制御信号を送信する。
【００６３】
表示画面９０ｃの状態で画面分割キーが押下された場合には、画面分割メニュー９２を図６（ａ）の状態で表示することにしてもよいし、図５（ａ）の状態で表示してもよい。
【００６４】
図６（ａ）の状態で、上下キー６４のうち、「↓」キーを押下された場合には、画面分割メニュー９２は図６（ｂ）の状態に変更され、「↑」キーを押下された場合には、画面分割メニュー９２は図５（ｂ）の状態に変更される。
【００６５】
図６（ｂ）は、選択枠９８ｄによって、「２画面＋インターネット」の選択項目が選択状態になっていることを示す図である。選択枠９８ｄが「２画面＋インターネット」の選択項目上に置かれた状態で決定キー６６が押下された場合、処理部２０の境界線変更部３８は、表示画面９０ｄのように人物が表示されているテレビ画面を左側上方の領域に、山の風景が表示されているテレビ画面を左側下方の領域に、ブラウザによって表示されたウェブ画面を右側に表示するように出力部５０の合成部５８に制御信号を送信する。
【００６６】
表示画面９０ｄの状態で画面分割キーが押下された場合には、画面分割メニュー９２を図６（ｂ）の状態で表示することにしてもよいし、図５（ａ）の状態で表示してもよい。
【００６７】
図６（ｂ）の状態で、上下キー６４のうち、「↓」キーを押下された場合には、画面分割メニュー９２は図６（ｃ）の状態に変更され、「↑」キーを押下された場合には、画面分割メニュー９２は図６（ａ）の状態に変更される。
【００６８】
図６（ｃ）は、選択枠９８ｅによって、「インターネット」の選択項目が選択状態になっていることを示す図である。選択枠９８ｅが「インターネット」の選択項目上に置かれた状態で決定キー６６が押下された場合、処理部２０の境界線変更部３８は、表示画面９０ｅのように、ブラウザによって表示されたウェブ画面を全画面に表示するように出力部５０の合成部５８に制御信号を送信する。
【００６９】
表示画面９０ｅの状態で画面分割キーが押下された場合には、画面分割メニュー９２を図６（ｃ）の状態で表示することにしてもよいし、図５（ａ）の状態で表示してもよい。
【００７０】
図６（ｃ）の状態で、上下キー６４のうち、「↑」キーを押下された場合には、画面分割メニュー９２は図６（ｂ）の状態に変更される。また、図６（ｃ）の状態で、上下キー６４のうち、「↓」キーを押下された場合には、図５（ａ）に遷移してもよい。
【００７１】
次に、画面分割メニュー９２上で、分割画面の境界線の位置を変更する操作について、図７を参照して説明する。図７（ａ）は、図５（ｂ）の状態から左に境界線の位置を移動させた状態を示す図である。図７（ｂ）は、図５（ｂ）の状態と同様に境界線の位置が中央にある状態を示す図である。図７（ｃ）は、図５（ｂ）の状態から右に境界線の位置を移動させた状態を示す図である。
【００７２】
図７（ａ）では、左側の画面が狭く、右側の画面が広い状態で、境界線が中央より左側に移動した位置の分割画面を選択状態にしている。選択枠９８内の左側のレイアウト表示領域９４には、上記の分割画面の、左側の画面が狭く、右側の画面が広い状態を示すレイアウトがアイコンによって示されている。
【００７３】
図７（ａ）の状態で、左右キー６５のうち、「→」キーを押下された場合には、画面分割メニュー９２は図７（ｂ）の状態に変更される。
【００７４】
図７（ｂ）では、左側の画面および右側の画面のサイズが等しく、境界線が中央に位置する分割画面を選択状態にしている。選択枠９８内の左側のレイアウト表示領域９４には、上記の分割画面の、左側の画面と右側の画面とが同じサイズであることを示すレイアウトがアイコンによって示されている。
【００７５】
図７（ｂ）の状態で、左右キー６５のうち、「←」キーを押下された場合には、画面分割メニュー９２は図７（ａ）の状態に変更され、「→」キーを押下された場合には、画面分割メニュー９２は図７（ｃ）の状態に変更される。
【００７６】
図７（ｃ）では、左側の画面が広く、右側の画面が狭い状態で、境界線が中央より右側に移動した位置の分割画面を選択状態にしている。選択枠９８内の左側のレイアウト表示領域９４には、上記の分割画面の、左側の画面が広く、右側の画面が狭い状態を示すレイアウトがアイコンによって示されている。
【００７７】
図７（ｃ）の状態で、左右キー６５のうち、「←」キーを押下された場合には、画面分割メニュー９２は図７（ｂ）の状態に変更される。
【００７８】
なお、上記の実施形態では、画面分割の境界線の位置を３段階に変更することができる例について示したが、これに限るものではない。より多くの段階、例えば、１０％、２０％、……、８０％、９０％などのように変更することで可能であってもよい。その場合には、「→」キーまたは「←」キーを押下した状態を保持することで、連続的に段階が切換されることが好ましい。また、「２画面＋インターネット」の画面分割の場合、画面分割の境界線の位置は、画面の中央から左側のみに変更可能としてもよい。
【００７９】
次に、本実施形態で用いる映像表示装置１０の概観について、図８を参照して説明する。図８は、出力部５９および入力部６０の筐体の概観を示す概略図である。
【００８０】
出力部５９の内部には、図示しない処理部２０が収められている。出力部５０の筐体には、液晶パネルなどによって構成された出力部５９と、入力部６０からの操作信号を受信するための受信部３０が備えられている。
【００８１】
入力部６０であるリモコン装置には、画面分割キー６１、操作切換キー６２、放送切換キー６３、上下キー６４、左右キー６５、決定キー６６、戻るキー６７、終了キー６８、および送信部７４が備えられている。
【００８２】
画面分割キー６１は、画面分割の機能を実行するための入力デバイスである。画面分割キー６１が押下された場合、対応する操作入力が送信部７４から受信部３０に送信され、メニュー表示部２８によって画面分割メニューが表示される。
【００８３】
操作切換キー６２は、操作切換の機能を実行するための入力デバイスである。出力部５９にチューナ部５６で受信したテレビ映像が２画面で表示されている場合、片方の画面がメインとなり、もう片方の画面がサブとなる。この場合、メインの画面では音声を出力し、入力部６０による各種入力操作を受け付け、サブの画面では映像を表示するのみで、音声出力は行わず、各種入力操作の対象とならないものとする。ここで操作切換キー６２が押下された場合、メインの画面とサブの画面が入れ替わり、音声出力、入力操作の可否についても入れ替わる。
【００８４】
放送切換キー６３は、放送切換の機能を実行するための入力デバイスである。具体的には、地上波アナログ放送、地上波デジタル放送、ＢＳ(broadcasting satellite)放送、およびＣＳ（communication satellite）放送の入力切換に対応する各入力キーである。放送切換キー６３を押下することで、画面を分割表示していた場合でも、単一画面の表示に切換され、画面に対する操作入力を受け付ける状態に変更される。
【００８５】
上下キー６４は、画面分割メニューを操作し、画面分割を選択するための入力デバイスである。画面分割キー６１が押下され、メニュー表示部２８によってメニューが表示された際に、上下キー６４を操作することによって選択枠を上下に移動させて、所望の画面分割形式を選択することができる。上下キー６４によって選択した後に、決定キー６６を押下することで、画面分割の選択は決定される。
【００８６】
左右キー６５は、画面分割メニュー上で画面分割位置を変更するための入力デバイスである。画面分割キー６１が押下され、メニュー表示部２８によってメニューが表示された際に、左右キー６５を操作することによって画面分割の表示内容、例えば、境界線の位置や分割画面の表示サイズなどを変更することができる。上記の操作によって画面分割の境界線が変更された際、アイコン表示部２６によって画面分割メニュー上に変更後の境界線を反映したアイコンが表示される。
【００８７】
なお、ここでは、上下キー６４および左右キー６５として説明したが、上下の方向および左右の方向を入力できる入力デバイスであれば、ボタン、ダイアル、ホイール、スティック、トラックボール、およびその他のポインティングデバイスであってもよい。画面分割メニューを操作して、画面分割形式の変更、および、画面を分割する境界線の位置変更の選択および決定が可能であれば、どのような入力デバイスであってもよい。
【００８８】
決定キー６６は、画面分割形式および画面分割境界線の位置の変更を決定するための入力デバイスである。上下キー６４および左右キー６５によって画面分割メニュー上でいずれかの状態が選択された後に、決定キー６６が押下されることよって、ユーザの選択結果が処理部２０に送信される。制御部３２は、現在のメニューの状態および決定の操作入力に基づいて、メニュー変更部３６に結果を反映させる。
【００８９】
戻るキー６７は、画面選択メニューの表示を中止し、画面選択メニューの表示前の状態に戻る操作を行うための入力デバイスである。終了キー６８は、画面の分割表示を終了し、１画面のみの表示状態に戻る操作を実行するための入力デバイスである。
【００９０】
なお、以上の各キーについて、本実施形態ではリモコン装置上に設けられたボタンとして以下では説明するが、これに限るものではない。タッチパネル上に仮想的に表示されたキーであってもよいし、音声認識によって上記の操作に対応する入力を行ってもよい。上述の各入力を決定することができれば、どのような入力デバイスであってもよい。
【００９１】
上記の各キーを押下することで、図１の機能ブロックに割り当てられた各機能が実行される。すなわち、画面分割キー６１を押下することで、対応する操作入力が送信部７４から受信部３０に送信され、メニュー表示部２８によって画面分割メニューが表示される。
【００９２】
また、操作切換キー６２を押下することで、メインの画面とサブの画面が入れ替わり、音声出力、入力操作の可否についても入れ替わる。放送切換キー６３を押下することで、画面を分割表示していた場合でも、単一画面の表示に切換され、画面に対する操作入力を受け付ける状態に変更される。
【００９３】
また、画面分割キー６１が押下され、メニュー表示部２８によってメニューが表示された際に、上下キー６４を操作することによって選択枠を上下に移動させて、所望の画面分割形式を選択することができる。上下キー６４によって選択した後に、決定キー６６を押下することで、画面分割の選択は決定される。画面分割キー６１が押下され、メニュー表示部２８によってメニューが表示された際に、左右キー６５を操作することによって画面分割の境界線を変更することができる。上記の操作によって画面分割の境界線が変更された際、アイコン表示部２６によって画面分割メニュー上に変更後の境界線を反映したアイコンが表示される。
【００９４】
上下キー６４および左右キー６５によって画面分割メニュー上でいずれかの状態が選択された後に、決定キー６６が押下されることよって、ユーザの選択結果が処理部２０に送信される。戻るキー６７を押下することで、画面選択メニューの表示を中止し、画面選択メニューの表示前の状態に戻る。終了キー６８を押下することで、画面の分割表示を終了し、１画面のみの表示状態に戻る。
【００９５】
次に、図９〜図１２を用いて、制御部３２で行われる分割画面の画面切換処理およびメニュー表示処理について説明を行う。図９は、画面分割メニュー９２を用いて項目を選択することによって、分割画面を変更する場合の状態遷移を示す図である。
【００９６】
図１０は、図９の状態遷移に対応する状態遷移表である。図１０の状態遷移表において、各行は図９で示される６状態のうちの何れかを表し、各列は制御部３２に通知されるイベントを表す。また、各セルは、それぞれさらに３行に分かれており、第１行は遷移前処理、第２行は遷移先状態、第３行は遷移後処理を表す。表中の空欄は、実行するべき処理、あるいは遷移するべき状態が定義されていないことを示す。なお、イベントには、キーイベントのほかに、アプリケーションやタイマーが発するイベントが存在する。また、ここでは、遷移後処理はすべて空欄なので、存在しない。
【００９７】
図１１は、画面分割メニュー９２における選択枠９８の移動および選択枠９８が位置する選択状態毎に割り当てられた、キー入力に対応する機能の状態遷移を示す図である。
【００９８】
図１２は、図１１の状態遷移に対応する状態遷移表である。図１２の状態遷移表において、各行は上記５状態のうち何れかを表し、各列は制御部３２より通知（転送）されてくるイベントを表す。また、各セルは、それぞれ３行に分かれており、第１行は遷移前処理、第２行は遷移先状態、第３行は遷移後処理を表す。表中の空欄は、実行するべき処理、あるいは遷移するべき状態が定義されていないことを示す。また、ここでも同様に、遷移後処理はすべて空欄なので、存在しない。
【００９９】
初期状態において、出力部５９にはテレビ画面が全画面で表示される「ＴＶ１画面」表示状態で画面が出力されている（表示状態１０１）。表示状態１０１において、画面分割キー６１が押下されると、メニュー表示部２８によって、画面分割メニュー９２が「ＴＶ１画面」表示状態の右上領域に表示される（表示状態１００）。画面分割メニュー９２が表示されている表示状態において、上下キー６４を押下することによって、メニュー変更部３６は選択枠９８を移動させて表示する。
【０１００】
選択枠９８が表示されている状態で、「テレビ」「テレビ２画面」「テレビ＋インターネット」「２画面＋インターネット」「インターネット」の各選択項目を選択し、決定キー６６を押下することによって、「ＴＶ１画面」表示状態、「ＴＶ２画面」表示状態（表示状態１０２）、「ＴＶ１画面＋Ｗｅｂ」表示状態（表示状態１０３）、「ＴＶ２画面＋Ｗｅｂ」表示状態（表示状態１０４）、「Ｗｅｂ」表示状態（表示状態１０５）の各表示状態に画面構成を変更する指示が境界線変更部３８に出される。
【０１０１】
表示状態１０２において、画面分割キー６１が押下されると、メニュー表示部２８によって、画面分割メニュー９２が画面の右上領域に表示される。また、表示状態１０２において、操作切換キー６２が押下されると、メイン画面およびサブ画面が交換され、サブ画面に表示されていた画面に対しての入力操作を受け付け、サブ画面の音声を出力する表示状態へと変更する。表示状態１０２において、終了キー６８が押下された場合、表示状態１０１へと戻る。
【０１０２】
表示状態１０２、表示状態１０３、表示状態１０４においても同様に、画面分割キー６１が押下されると、メニュー表示部２８によって、画面分割メニュー９２が画面の右上領域に表示され、終了キー６８が押下された場合、表示状態１０１へと戻る。なお、表示状態１０４では、表示状態１０２と同様に、操作切換キー６２が押下されると、メイン画面およびサブ画面が交換され、サブ画面に表示されていた画面に対しての入力操作を受け付け、サブ画面の音声を出力する表示状態へと変更する。
【０１０３】
終了キー６８の押下によって表示状態１０１に戻る際、表示状態１０２、表示状態１０４では、２画面のテレビ画面のうちメイン画面を表示する。表示状態１０５において終了キー６８が押下され表示状態１０１に戻る際、最後に映像を出力していた表示画面の内容をテレビ画面として出力する。具体的には、最後に映像出力されていたチャンネルを出力する。また、表示状態１０５では、放送切換キー６３のうちいずれかのキーや、チャンネルを切換する数字キーまたはチャンネルキーを押下することによっても表示状態１０１に戻り、テレビ画面の出力を行ってもよい。
【０１０４】
図１０は、図９の状態遷移に対応する状態遷移表である。表の縦方向には各表示状態が示され、表の横方向には制御部３２に通知されるイベントが示されている。各表示状態においてキーを押下することによって、表の各セルの上段に示された動作を実行し、表の各セルの下段に示された表示状態へと遷移する。
【０１０５】
図１１は、画面分割メニュー９２における選択枠９８の移動によって変化するキー入力に対応する機能の状態遷移を示す図である。
【０１０６】
「テレビ」の選択項目が選択されているメニュー状態において（メニュー状態２０１）、「↓」キーが押下されると、メニュー変更部３６はメニュー表示部２８に選択枠９８を移動して表示させ、「テレビ２画面」の選択項目が選択されているメニュー状態に遷移する（メニュー状態２０２）。同様に、メニュー状態２０１において、「↑」キーが押下されると、「インターネット」の選択項目が選択されているメニュー状態に遷移する（メニュー状態２０５）。
【０１０７】
メニュー状態２０２において、「←」キーまたは「→」キーが押下された場合、分割画面の境界線の位置を変更する処理が行われる。まず、アイコン表示部２６において、境界線の位置を変更したレイアウト状態をアイコンで表示する。境界線の位置を変更したアイコンが表示された状態で、決定キー６６が押下されると、分割画面の境界線の位置を変更する処理を実行する制御信号を境界線変更部３８から合成部５８に送信する。合成部５８は、アイコンによってレイアウト状態が表示されている位置に対応する場所に境界線の位置を変更する。
【０１０８】
メニュー状態２０２において、「↑」キーが押下されると、メニュー変更部３６はメニュー表示部２８に選択枠９８を移動して表示させ、メニュー状態２０１に遷移し、「↓」キーが押下されると、同様に選択枠９８を移動して表示させ、「テレビ＋インターネット」の選択項目が選択されているメニュー状態に遷移する（メニュー状態２０３）。
【０１０９】
メニュー状態２０３において、「←」キーまたは「→」キーが押下された場合、メニュー状態２０２と同様に分割画面の境界線の位置を変更する処理が行われる。また、同様に、メニュー状態２０３において、「↑」キーが押下されると、メニュー状態２０２に遷移し、「↓」キーが押下されると、「テレビ２画面＋インターネット」の選択項目が選択されているメニュー状態に遷移する（メニュー状態２０４）。
【０１１０】
メニュー状態２０４において、「←」キーまたは「→」キーが押下された場合、上記と同様に分割画面の境界線の位置を変更する処理が行われる。また、同様に、メニュー状態２０３において、「↑」キーが押下されると、メニュー状態２０３に遷移し、「↓」キーが押下されると、「インターネット」の選択項目が選択されているメニュー状態に遷移する（メニュー状態２０５）。
【０１１１】
メニュー状態２０５において、「↑」キーが押下されると、メニュー状態２０４に遷移し、「↓」キーが押下されると、メニュー状態２０１に遷移する。
【０１１２】
図１２は、図１１の状態遷移に対応する状態遷移図である。表の縦方向には各表示状態が示され、表の横方向には入力部６０上の各キーが示されている。各表示状態においてキーを押下することによって、表の各セルの上段に示された動作を実行し、表の各セルの下段に示された表示状態へと遷移する。
【０１１３】
以上のように、本発明の映像表示装置１０は、上記の問題を解決するために、複数の映像を１つの画面内に表示するために表示領域の合成を行う合成部５８と、前記表示領域の数、形状、大小関係、位置関係、前記映像の種類のうち、少なくとも１つの項目の変更を選択するための選択項目を複数並べて表示し、ユーザに選択させることで対応する画面構成に変更するためのメニューを表示するメニュー表示部２８と、前記表示領域の境界線を図示するアイコンを前記選択項目に対応づけて表示するアイコン表示部２６と、前記境界線の位置の変更を前記表示領域に反映させる境界線変更部３８とを備え、アイコン表示部２６は、前記境界線の位置の変更を反映する前に変更結果を図示する前記アイコンを表示することを特徴としている。
【０１１４】
上記の構成によれば、アイコン表示部２６が表示したアイコンをメニュー表示部２８が並べて表示し、上下キー６４によってユーザに画面構成の変更を決定させる際に、左右キー６５によって境界線の位置変更を決定する前に、境界線の位置の変更結果を図示するアイコンを表示することができるので、境界線の変更を反映する前にどのように変更されるか把握することができる映像表示装置１０を提供することができる。
【０１１５】
上記の映像表示装置１０では、選択項目を選択する操作を入力する第１変更手段として、上方向または下方向を入力するための上下キー６４が対応付けられており、境界線の位置を変更する操作を入力する第２変更手段として、右方向または左方向を入力するための左右キー６５と対応づけられていることを特徴としている。
【０１１６】
上記の構成によれば、上下キー６４で画面を変更し、左右キー６５で境界線を変更するので、メニューを切換せずに画面分割の切換、および、境界線の位置の変更を容易な操作で入力できる映像表示装置１０を提供することができる。
【０１１７】
上記の映像表示装置１０では、境界線の位置情報を記憶する記憶部３４さらに備え、メニュー変更部３６は、記憶部３４を参照し、前回設定した分割境界線の位置情報に基づいて、境界線の位置を変更することを特徴としている。
【０１１８】
上記の構成によれば、記憶部３４が境界線の位置情報を記憶し、メニュー変更部３６が記憶されている境界線の位置情報を参照して境界線の位置を変更できる映像表示装置１０を提供することができる。
【０１１９】
上記の映像表示装置１０では、表示画面は、映像表示画面、ブラウザ表示画面、スライド表示画面、フォト表示画面のうち少なくとも一つであることを特徴としている。
【０１２０】
上記の構成によれば、表示画面に、映像、ブラウザ、スライド、写真などの様々な異なる情報を分割表示できるので、様々な情報を連動させて閲覧することができる映像表示装置１０を提供することができる。
【０１２１】
上記の映像表示装置１０では、分割された表示画面に関するパラメータを記憶する記憶部３４をさらに備え、メニュー表示部２８は、記憶部３４を参照してメニューを表示することを特徴としている。
【０１２２】
上記の構成によれば、記憶部３４を参照してメニューを表示できるので、記憶部３４の分割テンプレートを変更するだけで表示する映像の内容に応じた適切なレイアウトを選択することができる映像表示装置１０を提供することができる。また、ユーザが独自に設定したレイアウトを記憶部３４に記憶しておくことで、いつでもテンプレートとして独自の設定を呼び出すことや、元のレイアウトを呼び出して戻すことができる。
【０１２３】
上記の映像表示装置１０では、表示されている映像に関する関連情報を取得する通信部５２をさらに備え、メニュー表示部２８は、関連情報を参照して、メニューを表示することを特徴としている。
【０１２４】
上記の構成によれば、通信部５２によって取得した関連情報に基づいて、適切なレイアウトを決定し、分割画面に反映することできる映像表示装置１０を提供することができる。
【０１２５】
本発明の入出力制御方法は、上記の課題を解決するために、合成部５８が出力部５０に複数の表示画面を分割表示させるステップを備えた映像表示方法であって、アイコン表示部２６が、表示画面の位置関係、大小関係、形状、表示内容のうち少なくとも１つを示すアイコンをレイアウト表示領域に表示するステップと、メニュー表示部２８が、複数のレイアウト表示領域を並べて表示し、ユーザに分割表示の画面切換を選択させるメニューを表示するステップと、メニュー変更部３６が、分割表示の画面切換をユーザに決定させるステップと、メニュー変更部３６が、表示画面を分割する境界線の位置をユーザに変更させるステップと、アイコン表示部２６が、表示画面の分割境界線の位置変更を決定する前に、表示画面の分割境界線の変更結果を図示するアイコンを表示するステップと、境界線変更部３８が、分割表示の画面切換、前記境界線の位置変更のうち少なくとも１つを実行し、出力部５０に反映させるステップを備えている。
【０１２６】
上記の構成によれば、レイアウトを表示するステップで表示したアイコンを、メニューを表示するステップで並べて表示し、ユーザに表示切換を決定させるステップにおいて、境界線を変更するステップで境界線の位置変更を決定する前に、分割境界線の変更結果を図示するアイコンを表示するステップを実行するので、境界線の変更を決定する前にどのように表示されるか把握することができる映像表示方法を提供することができる。
【０１２７】
なお、ブラウザで表示するコンテンツのうち、レイアウトやデザインの関係上、全画面表示のみを許容し、画面を分割した縦長領域での表示を許容しないコンテンツがある。これを、ここでは横長限定コンテンツと称することにする。「テレビ＋インターネット」表示状態または「２画面＋インターネット」表示状態において、ブラウザにてリンクをたどる操作を施し、横長限定コンテンツに遷移する場合には、「インターネット」表示状態に自動的に切り換わってもよい。一方、横長限定コンテンツから通常のコンテンツに遷移する場合には、「インターネット」表示状態のまま、「テレビ＋インターネット」や「２画面＋インターネット」に戻らなくてもよい。
【０１２８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２９】
最後に、映像表示装置１０の各ブロック、特に処理部２０の表示管理部２２、メニュー変更部３６、および境界線変更部３８は、ハードウェアロジックによって構成してもよいし、次のようにＣＰＵを用いてソフトウェアによって実現してもよい。
【０１３０】
すなわち、映像表示装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである映像表示装置１０の制御プログラムのプログラムコード（実行形式プログラム、中間コードプログラム、ソースプログラム）をコンピュータで読み取り可能に記録した記録媒体を、上記映像表示装置１０に供給し、そのコンピュータ（またはＣＰＵやＭＰＵ）が記録媒体に記録されているプログラムコードを読み出し実行することによっても、達成可能である。
【０１３１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３２】
また、映像表示装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３３】
以上のように、本発明に係る映像表示装置および映像表示方法によれば、表示変更を決定する前にどのように表示されるか把握することができるため、入力操作が容易になるので、テレビ、テレビ機能付きＰＣ（Personal Computer）などの映像表示装置や、ビデオ、ＤＶＤ（digital versatile disk）レコーダ、ＨＤＤレコーダ、Ｂｌｕ−ｒａｙ  Ｄｉｓｃレコーダ、ＨＤ−ＤＶＤレコーダなどの録画再生装置に好適に利用できる。
【図面の簡単な説明】
【０１３４】
【図１】本発明の一実施形態を示すものであり、映像表示装置に含まれる表示切換部、出力部、および入力部の各部の構成を示す機能ブロック図である。
【図２】上記の映像表示装置における画面表示を行う主要部を示す概略図である。
【図３】上記の映像表示装置におけるイベント処理を行う主要部を示す概略図である。
【図４】上記の映像表示装置における表示画面上に重畳して表示される画面分割メニューを示す概略図である。
【図５】上記の映像表示装置における画面分割メニューの動作の詳細を示す図である。
【図６】上記の映像表示装置における画面分割メニューの動作の詳細を示す図である。
【図７】上記の映像表示装置における画面分割メニューの動作の詳細を示す図である。
【図８】上記の映像表示装置における出力部および入力部の筐体の概観を示す概略図である。
【図９】上記の映像表示装置において、画面分割メニューを用いて項目を選択することによって、分割画面を変更する場合の状態遷移を示す図である。
【図１０】上記の映像表示装置において、図９の状態遷移に対応する状態遷移表である。
【図１１】上記の映像表示装置において、画面分割メニュー上の選択枠の移動および選択状態毎に割り当てられた、キー入力に対応する機能の状態遷移を示す図である。
【図１２】上記の映像表示装置において、図１１の状態遷移に対応する状態遷移図である。
【符号の説明】
【０１３５】
１０    映像表示装置（映像表示装置）
２０    処理部
２２    表示管理部
２４    ラベル表示部
２６    アイコン表示部（レイアウト表示手段）
２８    メニュー表示部（メニュー表示手段）
３０    受信部
３２    制御部
３４    記憶部（変更情報記憶手段）
３６    メニュー変更部（メニュー変更手段）
３８    境界線変更部（境界線変更手段）
５０    出力部
５２    通信部（関連情報取得手段）
５４    ブラウザ部
５６    チューナ部（関連情報取得手段）
５８    合成部（合成手段）
５９    出力部
６０    入力部（第１変更入力手段、第２変更入力手段）
６１    画面分割キー
６２    操作切換キー
６３    放送切換キー
６４    上下キー（第１変更入力手段、上下方向入力手段）
６５    左右キー（第２変更入力手段、左右方向入力手段）
６６    決定キー
６７    戻るキー
６８    終了キー
７０    判別部
７２    制御部
７４    送信部
【図１】
2008028936.tif 000003
【図２】
2008028936.tif 000004
【図３】
2008028936.tif 000005
【図４】
2008028936.tif 000006
【図５】
2008028936.tif 000007
【図６】
2008028936.tif 000008
【図７】
2008028936.tif 000009
【図８】
2008028936.tif 000010
【図９】
2008028936.tif 000011
【図１０】
2008028936.tif 000012
【図１１】
2008028936.tif 000013
【図１２】
2008028936.tif 000014